(57)【要約】【課題】被検者の痛みの大きさを分かり易く、客観的に表示し、他者に正確に伝えることができる痛み測定器を提供すること。【解決手段】痛み測定器１００は測定器本体１１０を有し、該測定器本体１１０には、測定結果を表示し得る表示部９と、被検者が自己の痛みの大きさに対応して移動する操作部材１ｂを備える操作手段１と、測定器各部を制御すると共に演算部を内蔵する制御手段と、痛みの種類を入力し得る入力部４と、時計機能を有するタイマーと、各種メモリー等により構成され、複数のパターンの顔画像９２を生成するためのデータを記憶するデータ記憶部とを有している。表示部９には、スケール１ａ上での操作部材１ｂの位置により痛みの大きさが定量化された定量値９１と、痛みの大きさに対応する顔画像９２とが表示される。【選択図】図４
2005152222.tif 000002
【特許請求の範囲】
【請求項１】
測定結果を表示し得る表示手段と、
被検者の痛みの大きさに対応して変位させることができる操作部材を備える操作手段と、
前記操作部材の変位量に応じて、痛みの大きさを定量化する演算部と、
痛みの大きさに応じた複数のパターンのシンボル画像を生成するためのデータを記憶する記憶手段とを有し、
前記表示手段は、前記操作部材の変位量に応じて、痛みの大きさを定量化して表示するとともに、前記記憶手段に記憶されたデータに基づいて生成された痛みの大きさに対応するシンボル画像を表示するよう構成されていることを特徴とする痛み測定器。
【請求項２】
前記操作手段は、痛みの大きさを示すスケールと、前記スケールに沿って移動する操作部材とを備える請求項１に記載の痛み測定器。
【請求項３】
前記シンボル画像は、顔の表情を示す請求項１または２に記載の痛み測定器。
【請求項４】
被検者の顔を撮像する撮像手段を有し、前記表示手段は、撮像された画像を表示し得るよう構成されている請求項３に記載の痛み測定器。
【請求項５】
前記操作部材の連続的な変位に応じ、前記シンボル画像が視覚上連続的に変化するよう構成されている請求項１ないし４のいずれかに記載の痛み測定器。
【発明の詳細な説明】
【技術分野】
【０００１】
本発明は、被検者の痛みの大きさを測定し、表示することができる痛み測定器に関するものである。
【背景技術】
【０００２】
医療者が患者を診断、治療する際には、痛みの大きさ（程度）やその種類を知ることは重要である。しかし、その痛みは主観的なものであり、患者は自分以外の人に痛みの大きさや種類を正確に伝えることは難しい。
【０００３】
実際に、医療現場ではＶＡＳ（ビジュアルアナログスケール）と言う評価方法で痛みの大きさを測定している。これは、直線の一端に「痛みなし」、他端に「最もひどい痛み」と記したスケールを患者に提示し、患者はその時点で、自分の知覚している痛みの大きさに対応した箇所をそのスケール上に示し、その位置を痛みのスコアとしている。
【０００４】
しかしながら、前記ＶＡＳでは、患者がその測定方法を理解していないと正確な痛みの測定が難しいという欠点がある。また、医師は、診断や治療をする場合には、痛みの大きさだけではなく、痛みの種類をも知る必要がある。痛みの種類を知るには、現在、医師の問診による方法しかないが、実際に、問診となると医師を前にして十分な痛みの種類の表現方法がなく、自分が感じている痛みの種類を正確に伝えることができないのが現状である。
【０００５】
また、前記ＶＡＳを装置化したものとして、痛みの程度を示す目盛りが付された接触板を用い、患者は、痛みの大きさに応じて該当する接触板の位置を指で触れ、その位置情報を数値化してデジタル表示させる痛さ計が知られている（例えば、特許文献１参照）。
【０００６】
しかしながら、この痛さ計では、患者によって痛みの大きさの捉え方が様々に異なり、接触板に付された目盛りは、却って患者に先入観を与えてしまい、痛みを正確に測定することができない場合がある。さらに、この痛さ計では、痛みの程度が数値化されて表示されるが、医師等の医療者は、その数値を見ただけでは、患者の痛みの大きさを認識、把握し難いことがある。
【０００７】
【特許文献１】特開昭６０−９０５４４号公報
【発明の開示】
【発明が解決しようとする課題】
【０００８】
本発明の目的は、被検者の痛みの大きさを分かり易く、客観的に表示し、他者に正確に伝えることができる痛み測定器を提供することにある。
【課題を解決するための手段】
【０００９】
このような目的は、下記（１）〜（１１）の本発明により達成される。
（１）  測定結果を表示し得る表示手段と、
被検者の痛みの大きさに対応して変位させることができる操作部材を備える操作手段と、
前記操作部材の変位量に応じて、痛みの大きさを定量化する演算部と、
痛みの大きさに応じた複数のパターンのシンボル画像を生成するためのデータを記憶する記憶手段とを有し、
前記表示手段は、前記操作部材の変位量に応じて、痛みの大きさを定量化して表示するとともに、前記記憶手段に記憶されたデータに基づいて生成された痛みの大きさに対応するシンボル画像を表示するよう構成されていることを特徴とする痛み測定器。
【００１０】
（２）  痛みの種類を入力する入力手段を有し、前記表示手段は、入力された痛みの種類を表示するよう構成されている上記（１）に記載の痛み測定器。
【００１１】
（３）  前記入力手段による痛みの種類の入力は、複数の痛みの形容詞が言葉として表示されたものの中から該当するものを選択することにより行われる上記（２）に記載の痛み測定器。
【００１２】
（４）  時計機能を備え、測定結果を測定日時と対応付けて表示し得るよう構成されている上記（１）ないし（３）のいずれかに記載の痛み測定器。
【００１３】
（５）  前記操作手段は、痛みの大きさを示すスケールと、前記スケールに沿って移動する操作部材とを備える上記（１）ないし（４）のいずれかに記載の痛み測定器。
【００１４】
（６）  外部入・出力端子を備える上記（１）ないし（５）のいずれかに記載の痛み測定器。
【００１５】
（７）  前記シンボル画像は、顔の表情を示す上記（１）ないし（６）のいずれかに記載の痛み測定器。
【００１６】
（８）  被検者の顔を撮像する撮像手段を有し、前記表示手段は、撮像された画像を表示し得るよう構成されている上記（７）に記載の痛み測定器。
【００１７】
（９）  前記記憶手段は、撮像された画像の画像データを記憶することができる上記（８）に記載の痛み測定器。
【００１８】
（１０）  被検者の顔を写す鏡を有し、前記鏡に写った顔を前記表示手段により表示されたシンボル画像と対比して見ることができるよう構成されている上記（７）に記載の痛み測定器。
【００１９】
（１１）  前記操作部材の連続的な変位に応じ、前記シンボル画像が視覚上連続的に変化するよう構成されている上記（１）ないし（１０）のいずれかに記載の痛み測定器。
【発明の効果】
【００２０】
本発明によれば、被検者（測定者）に先入観を与えることなく、痛みの大きさを正確に測定し、数値とシンボル画像とによりわかり易く表示することができる。そのため、被検者の痛みの大きさを、医師等の他者に正確に伝えることができる。特に、シンボル画像として、痛みの程度に応じて変化する顔の表情が表示されるため、痛みの大きさを極めて容易に認識することができる。
【００２１】
また、被検者は、痛みの大きさに応じて操作部材を変位させるという簡単な操作で痛みの大きさを測定することができるので、個人差や測定毎の差が少なく、客観的で正確な測定結果が得られる。
【００２２】
また、痛みの種類を入力し、それを表示するよう構成した場合には、痛みの種類と大きさとを併せて知ることができるので、その情報を医師等による診断、治療に有効に活用することができる。
【発明を実施するための最良の形態】
【００２３】
以下、本発明の痛み測定器について添付図面に示す好適実施形態に基づいて詳細に説明する。
【００２４】
図１は、本発明の痛み測定器の実施形態を示すブロック図、図２は、本発明の痛み測定器の実施形態における操作部材の操作量とそれに対応する定量値（ＶＡＳ値）との関係を示す図、図３は、本発明の痛み測定器の実施形態における操作部材の操作量とそれに対応する顔画像との関係示す図、図４は、本発明の痛み測定器の実施形態（測定器本体に対し蓋体を開いた状態）の外観図（平面図）、図５は、本発明の痛み測定器の実施形態における表示部の表示の変化の一例を示す図である。
【００２５】
各図に示すように、本発明の痛み測定器１００は、ケーシングを有する測定器本体１１０と、測定器本体１１０に対し回動可能（開閉可能）に設置された蓋体１２０とを有している。
【００２６】
測定器本体１１０には、少なくとも測定結果を表示し得る表示部（表示手段）９と、被検者の痛みの大きさに対応して変位させることができる操作部材１ｂを備える操作手段１と、痛み測定器１００の各部を制御する制御手段６と、痛みの種類を入力する入力部（問診入力手段）４と、電源スイッチ１１と、外部通信ポート（外部入・出力端子）１０とが設けられている。
【００２７】
制御手段６は、例えばＣＰＵ（中央演算装置）を有するマイクロコンピュータで構成され、演算部を内蔵している。また、制御手段６には、時計機能を有するタイマー（カレンダー）５と、各種メモリー等によるデータ記憶部（記憶手段）７とが接続されている。なお、タイマーおよびデータ記憶部は、制御手段６に内蔵されていてもよい。
【００２８】
表示部９は、表示コントローラ（表示部駆動回路）８を介して制御手段６に接続されている。この表示部９は、例えば液晶表示パネル、有機ＥＬ表示パネル等で構成されている。この表示部９には、少なくとも、痛みの大きさが定量化された値（以下「定量値９１」と言う）と、痛みの大きさに応じたシンボル画像（顔画像）９２とが表示される。
【００２９】
定量値９１は、ＶＡＳ（ビジュアルアナログスケール）値とも言う。また、シンボル画像９２は、本実施形態では、痛みの大きさに順じて連続的または段階的に変化する顔の表情（ＦＳ：フェイススケール）とされる。
【００３０】
操作手段１は、痛みの大きさを示す直線状のスケール（物差し）１ａと、該スケール１ａに沿って移動し得る操作部材（摘み）１ｂと、検出手段１ｃとを備えている。
【００３１】
スケール１ａの一端（図１中左端）は、「痛みなし」を示し、スケール１ａの他端（図１中右端）は、「想像できる最大の痛み」を示し、それらの途中の箇所は、その箇所に応じた中間の痛みを示す。
【００３２】
操作部材１ｂは、スケール１ａ上を一端から他端まで連続的に移動することができる。操作部材１ｂのスケール１ａ上での停止位置に応じて、スケール１ａの裏面（ケーシング内側）に設置された電気接点（図示せず）よりアナログ信号が出力される。このアナログ信号は、ＡＤ変換器２によりデジタル信号に変換され、制御手段６に入力される。制御手段６の演算部は、入力されたデジタル信号に基づいて所定の演算を行い、定量値９１を求める。求められた定量値９１は、表示コントローラ８の作動により作動する表示部９に表示される。この表示は、例えば痛みの大きさに応じた数字「０」、「１」、「２」、「３」、「４」、「５」、「６」、「７」、「８」、「９」、「１０」の１１段階で表示される。
【００３３】
また、制御手段６は、それに入力された操作部材１ｂのスケール１ａ上での位置の情報（以下単に「位置情報」と言う）から、それに対応するシンボル画像を特定する。データ記憶部７には、複数（例えば５つ）のパターのシンボル画像（本実施形態では、異なった５種類の顔の表情を示す画像）に対応するデータ（以下「顔画像データ」と言う）が前記操作部材１ｂの位置情報と対応付けて（定義付けて）記憶されており、入力された操作部材１ｂの位置情報に応じた顔画像データが読み出される。そして、読み出された顔画像データに基づいて、表示部９にその顔画像９２が表示される。この顔画像９２は、例えば痛みの大きさに応じた５種類の顔の表情で表示される。
【００３４】
入力部（入力手段）４は、操作部材１ｂの位置情報をデータ記憶部７へ記憶させる信号を出力させる決定ボタン４１と、表示コントローラ８から表示部９に表示された項目を選択する信号を出力する選択ボタン４２と、測定を終了させ次の測定を行うための画面に切り替える信号などを制御手段６へ出力させる終了ボタン４３とを備えている。
【００３５】
また、測定器本体１１０の側部には、外部通信ポート１０が設けられている。この外部通信ポート１０には、例えば、パソコン、プリンタ、モニター（外部表示装置）、入力用端末（キーボード等）、外部メモリー、音声入・出力端末、無線送・受信部（赤外線通信も含む）、他の同様の痛み測定器を接続することができ、必要時にこれらとの通信を行う。例えば、測定の結果得られた定量値９１を外部接続されたプリンタにより出力したり、パソコンやモニターにより表示したりすることができる。
【００３６】
次に、定量値９１の求め方の一例について説明する。操作手段１の検出手段１ｃは、スケール１ａの裏面（ケーシング内側）に設置された可変抵抗（スライダック）と該可変抵抗に接触し、操作部材１ｂとともに移動する電気接点とを備え、電気接点の移動により可変抵抗の抵抗値が線形に変化し、それに応じた大きさの電圧がアナログ信号として出力される。
【００３７】
例えば痛みの大きさを「０」〜「１０」の１１段階で表した場合、スケール１a上で、「痛みなし」のときは、痛みの大きさを０、それに対応する信号値をＸ０（ＶＡＳ０）とし、「最大の痛み」のときは、痛みの大きさを１０、それに対応する信号値をＸ１（ＶＡＳ１０）とし、それらの間で操作部材１ｂを移動して被検者が感じている痛みの大きさに対応する信号値をＸ（ＶＡＳ）とすると、ＶＡＳ＝１０（Ｘ−Ｘ０）／（Ｘ１−Ｘ０）となり、これを定量値（ＶＡＳ値）９１として表示部９に表示する（図２参照）。
【００３８】
なお、検出手段１ｃとしては、可変抵抗と同様の機能を発揮するもの、例えば、キャパシタンス、インダクタンス等などの変化を利用したものや、操作部材１ｂの位置を検出し得るエンコーダを用い、該エンコーダからの位置情報を利用して検出するものでもよい。
【００３９】
さらに、操作手段１は、間接的にダイヤルを回したりボタンを押したりして動かすものでもよく、また、図示の操作手段１に代わり、タッチパネル式の画面に表示された操作手段で構成され、指やペン（タブレットペン）などで表示部９の画面の所定部位を触れて操作するものでもよい。
【００４０】
次に、顔画像（シンボル画像）９２の定め方および表示方法の一例について説明する。
顔画像９２は、例えば図３に示すように、痛みの大きさの程度に応じた５枚の画像を有し、「痛みなし」の状態（操作部材１ｂが最左端に位置するとき）の画像をＦＳ０とし、「最大の痛み」の状態（操作部材１ｂが最右端に位置するとき）の画像をＦＳ４とし、それらの中間をＦＳ１、ＦＳ２、ＦＳ３とし、これらを等間隔ｄに配分する。
【００４１】
この場合、データ記憶部７には、各画像ＦＳ０、ＦＳ１、ＦＳ２、ＦＳ３、ＦＳ４を生成するための顔画像データがそれぞれ記憶されており、入力された操作部材１ｂの位置情報に応じた顔画像データが読み出される。表示コントローラ８は、データ記憶部７から読み出された顔画像データに基づいて顔画像を生成し、表示部９に表示する。
【００４２】
表示部９に表示される顔画像は、ＦＳ０、ＦＳ１、ＦＳ２、ＦＳ３、ＦＳ４の５種（５段階）に限るものでもよいが、それらの中間の画像も表示されるような構成、特に、それらの中間の画像が連続的に（視覚的に連続して）表示されるような構成であってもよい。
【００４３】
例えば、画像ＦＳ０と画像ＦＳ１の中間領域は、両画像の走査線上の座標の差を均等に割振り（座標間のデータを補間し）、その座標（補間された座標のデータ）により新規画像を生成（合成）し、これを表示するような構成とすることができる。
【００４４】
蓋体１２０の内側面には、鏡１２１が設けられている。被検者は、この鏡１２１に自分の顔を写し、自分の実際の顔を見ながら表示部９に表示される顔画像９２を見ることができる。被検者は、例えば、操作部材１ｂを操作して表示部９に顔画像９２を表示させる際に、鏡１２１に写った自分の実際の顔と比較しながら（自分の実際の顔を参考にしながら）操作を行うことができる。
【００４５】
図１に示すように、表示部９の上部には、ＣＣＤカメラ（撮像素子）３１を備える撮像部（画像取込部）３が設けられている。撮像部３で撮像された画像（特に被検者の顔の画像）の画像信号は、制御手段６に入力され、所定の画像処理がなされた後、表示コントローラ８の作動により表示部９にリアルタイム画像（動画）または静止画として表示される。この状態で、選択ボタン４２を押すと、画像が固定され、決定ボタン４１を押すと、その画像がデータ記憶部７に記憶（保存）される。
【００４６】
被検者は、例えば、操作部材１ｂを操作して表示部９に顔画像９２を表示させる際に、撮像部３で撮像された自分の顔と比較しながら（自分の顔を参考にしながら）操作を行うことができる。
【００４７】
なお、撮像部３の作動および撮像された画像の表示は、常時行われている場合に限らず、必要時にのみ行われるような構成、例えば、痛み測定器１００が撮像モードを有し、該撮像モードが選択されている場合にのみ撮像部３による撮像およびその画像の表示がなされるような構成であってもよい。
【００４８】
また、撮像部３で撮像された画像の画像データは、データ記憶部７に記憶（保存）され、必要時にそれを読み出して、その画像を表示部９に再度表示し得るようにすることもできる。
【００４９】
また、撮像部３で撮像された画像の画像データに基づいて表示部９に表示される顔画像９２を生成あるいは補正（修正）するような構成とすることもできる。
【００５０】
図５に示すように、表示部９には、問診事項を表示することができる。すなわち、問診事項は、例えば、痛みの種類を問うものであり、複数の痛みの形容詞が言葉として表示部９に表示されたものの中から該当するものを選択することにより行われる。これは、臨床の現場で用いられる痛みの形容詞が好ましく、具体的には次のようなものが挙げられる。
Ａ１：きりきり痛む
Ａ２：ずきずき痛む
Ａ３：しめ付けられるような痛み
Ａ４：熱いような痛み
‥‥‥
Ａｎ：切られるような痛み
被検者は、選択ボタン４２を操作することにより、表示された痛みの種類（痛みの形容詞の言葉）の中から該当するものを選び、決定ボタン４１で決定する。表示部９においては、選択、決定された痛みの種類の左横のチェックボックスにチェックの表示がなされ、これにより、被検者が選択した痛みの種類が表示され、特定される。
【００５１】
タイマー（カレンダー）５では、その時計機能により現在の年・月・日（曜日）および時刻が計測されており、それらは表示部９の日時表示部９３に好ましくは随時表示される。また、被検者の測定に際し、その測定時（日時）を測定結果（定量値９１および顔画像９２）と共に表示することもできる。この測定時の日時は、例えば被検者が決定ボタン４１を押した時とされる。この測定時の日時は、測定結果と対応付けてデータ記憶部７に記憶され、必要時に読み出し、表示部９に表示することができる。
【００５２】
次に、痛み測定器１００の使用方法の一例について、図５等を参照しつつ詳細に説明する。
【００５３】
痛み測定器１００により被検者の痛みを測定する場合、被検者は、痛み測定器１００を手に取り、まず電源スイッチ１１を入れる。すると、表示部９に測定／結果参照選択画面２０が現れるので、選択ボタン４２により「測定」を選択し、決定ボタン４１により決定する。決定ボタン４１を押すと、表示部９は、痛みの大きさ測定画面２１に切り替わる（図５の左列参照）。
【００５４】
この痛みの大きさ測定画面２１では、日時表示部９３が表示される。この日時表示部９３には、タイマー５の時計機能により計測された現在の年・月・日（曜日）および時刻（以下単に「日時」と言う）がリアルタイムに表示される。
【００５５】
次に、被検者は、操作部材１ｂを動かし、自分の感じている痛みに対応した位置で停止する。このとき、操作部材１ｂの位置に応じて表示部９（痛みの大きさ測定画面２１）に現れる顔画像９２の表情が変化するので、被検者は、この顔画像９２の変化を見ながらこれを参考にして操作部材１ｂの位置を選ぶことができる。
【００５６】
また、表示部９（痛みの大きさ測定画面２１）には、顔画像９２の表示と同時に、定量値９１も表示される。
【００５７】
このようにして操作部材１ｂの位置が決まったら、決定ボタン４２を押して決定する。これにより、顔画像９２および定量値９１に関するデータがデータ記憶部７に記憶される。また、決定ボタン４２を押した時の日時（タイマー５により計測されている）も併せてデータ記憶部７に記憶される。
【００５８】
次に、終了ボタン４３を押す。終了ボタン４３を押すと、表示部９は、痛みの種類選択画面（問診画面）２３に切り替わる。ここでは、痛みの種類の測定を行う。
【００５９】
痛みの種類選択画面２３には、痛みの種類を表現する形容詞が言葉として複数並べて表示されており、被検者は、これらの中から該当する痛みの種類を選択ボタン４２により選択する。なお、痛みの種類は、複数選択することも可能である。
【００６０】
このようにして痛みの種類が決まったら、決定ボタン４２を押して決定する。これにより、痛みの種類に関するデータがデータ記憶部７に記憶される。また、決定ボタン４２を押した時の日時（タイマー５により計測されている）も併せてデータ記憶部７に記憶される。
【００６１】
次に、測定結果を見る場合について説明する。測定結果を見る場合には、まず電源スイッチ１１を入れる。すると、表示部９に測定／結果参照選択画面２０が現れるので、選択ボタン４２により「結果参照」を選択し、決定ボタン４１により決定する。決定ボタン４１を押すと、表示部９は、参照画面２２に切り替わる（図５の右列参照）。
【００６２】
参照画面２２には、データ記憶部７から読み出された測定日時およびこれに対応するファイル名（例えば被検者の氏名を含む）が新しいものから順に数例表示される。なお、ファイル名は、測定時またはその後に、外部通信ポート１０を介して入力することができ、入力がない場合には、例えばシリアルナンバー等が自動的に設定される。
【００６３】
参照者（被検者、医師等）は、参照画面２２に表示された項目（測定日時およびファイル名）の中から１つを選択ボタン４２により選択し、決定ボタン４１を押す。
【００６４】
決定ボタン４１を押すと、表示部９は結果一覧表示画面２４に切り替わるとともに、この結果一覧表示画面２４に、前工程で選択された項目に関する測定結果が表示される。表示される測定結果は、例えば定量値（ＶＡＳ値）と痛みの種類であり、これらが測定日時と併せて表示される。
【００６５】
また、必要に応じて、データ記憶部７のデータを外部通信ポート１０を介して外部に出力させることもできる。例えば、測定結果、測定日時等を外部通信ポート１０に接続されたパソコンの画面や外部モニターに表示させたり、プリンタにより印刷したりすることができる。
【００６６】
以上、本発明を図示の実施形態に基づいて説明したが、本発明はこれに限定されるものではなく、各部の構成は、同様の機能を発揮し得る任意の構成と置換することができ、また、任意の構成が付加されていてもよい。
【００６７】
例えば、本発明の痛み測定器では、操作部材１ｂの移動に伴い、表示部９の画面の全部または一部（例えば顔画像９２の部分）の明度（濃淡）または色彩等が変化するような構成とすることができる。
【００６８】
また、本発明の痛み測定器は、スピーカおよびその駆動回路を備え、操作部材１ｂの移動に伴い、スピーカから発せられる音の音質（例えば周波数）や音量が変化するような構成とすることができる。
【００６９】
また、入力部４は、ボタン４１〜４３の操作によるものに限らず、例えば、タブレットペンにより表示部９の画面から入力するような構成とすることができる。
【図面の簡単な説明】
【００７０】
【図１】本発明の痛み測定器の実施形態を示すブロック図である。
【図２】本発明の痛み測定器の実施形態における操作部材の操作量とそれに対応する定量値（ＶＡＳ値）との関係を示す図である。
【図３】本発明の痛み測定器の実施形態における操作部材の操作量とそれに対応する顔画像との関係示す図である。
【図４】本発明の痛み測定器の実施形態の外観図である。
【図５】本発明の痛み測定器の実施形態における表示部の表示の変化の一例を示す図である。
【符号の説明】
【００７１】
１００      痛み測定器
１１０      測定器本体
１２０      蓋体
１２１      鏡
１          操作手段（スライド機構）
１ａ        スケール
１ｂ        操作部材
１ｃ        検出手段
２          ＡＤ変換器
３          撮像部
３１        ＣＣＤカメラ
４          入力部
４１        決定ボタン
４２        選択ボタン
４３        終了ボタン
５          タイマー
６          制御手段
７          データ記憶部
８          表示コントローラ
９          表示部
９１        定量値
９２        顔画像
９３        日時表示部
１０        外部通信ポート
１１        電源スイッチ
２０        測定／結果参照選択画面
２１        痛みの大きさ測定画面
２２        参照画面
２３        痛みの種類選択画面（問診画面）
２４        結果一覧表示画面
【図１】
2005152222.tif 000003
【図２】
2005152222.tif 000004
【図３】
2005152222.tif 000005
【図４】
2005152222.tif 000006
【図５】
2005152222.tif 000007